(57)【要約】  本発明の一実施形態による除湿および蒸発冷却式全外気空調システムが提供されており、除湿および蒸発冷却式全外気空調システムは、外気導入口から供給される外気の湿度、温度およびエンタルピーを変更し、変更された第１の空気を空調スペースに提供するか、または空調スペースに滞留した第２の空気を空調スペースから排出口に排出し、除湿および蒸発冷却式全外気空調システムは、外気、第１の空気および第２の空気の移送通路を提供するように構成された配管モジュールと、外気の湿度を制御するように構成され、配管モジュール上に配置される湿度制御部と、第１の空気になるように、供給空気の温度、湿度およびエンタルピーを制御するように構成され、配管モジュール上に配置される温度制御部と、外気、第１の空気および第２の空気の移送経路を変更するように構成され、配管モジュール上に配置される経路設定部と、外気導入口から空調スペースへまたは空調スペースから排出口への空気の移送経路を決定し、外気の湿度、温度およびエンタルピーに関連する第１の情報に基づいて、決定された移送経路に空気を伝達するために経路設定部を制御する制御部を備える。
2020514653.tif 000002
【特許請求の範囲】
【請求項１】
変更された第１の空気を空調スペースに提供するか、または前記空調スペースに滞留した第２の空気を前記空調スペースから排出口に排出するために、外気導入口から供給される外気の湿度、温度およびエンタルピーを変更する除湿および蒸発冷却式全外気空調システムであって、
前記外気、前記第１の空気と前記第２の空気の移送通路を提供するように構成された配管モジュールと、
前記外気の前記湿度を制御するように構成された湿度制御部であって、前記配管モジュール上に配置されている湿度制御部と、
前記第１の空気になるように、供給空気の温度、湿度およびエンタルピーを制御するように構成される温度制御部であって、前記配管モジュール上に配置される温度制御部と、
前記外気、前記第１の空気および前記第２の空気の移送経路を変更するように構成された経路設定部であって、前記配管モジュール上に配置される経路設定部と、
前記外気導入口から前記空調スペースへまたは前記空調スペースから前記排出口への空気の前記移送経路を決定し、前記外気の湿度、温度およびエンタルピーに関連する第１の情報に基づいて、前記決定された移送経路に空気を移送するように前記経路設定部を制御する制御部とを備える除湿および蒸発冷却式全外気空調システム。
【請求項２】
前記第１の情報は前記外気の第１の湿度、第１の温度、および第１のエンタルピーに関する情報を含み、
第３の情報は第３の温度、第３の湿度および第３のエンタルピーに関する情報を含み、
前記制御部は前記第１の空気の第２の湿度、第２の温度および第２のエンタルピーに関する第２の情報と前記第１の情報を比較するように構成され、前記経路設定部を制御して、
前記制御部は、前記経路設定部を制御するために前記第１の情報と前記第２の情報とを比較することにより前記第３の情報を算出し、算出された前記第３の情報に基づいて前記経路設定部を制御する、請求項１に記載の除湿および蒸発冷却式全外気空調システム。
【請求項３】
前記温度制御部は、
供給空気を顕熱冷却するように構成された間接蒸発冷却部と、供給空気を冷却し加湿するように構成された直接蒸発冷却部とを備える請求項２に記載の除湿および蒸発冷却式全外気空調システム。
【請求項４】
前記制御部は、前記第１の温度が前記第２の温度を上回る場合、前記第３の温度を前記第２の温度と等しく設定し、前記第１の温度が前記第２の温度を上回る場合、前記第３の温度を前記第２の温度を上回るように設定し、
前記制御部は、前記第３の温度および前記第３の湿度とから算出された値により前記第３のエンタルピーを設定する、請求項３に記載の除湿および蒸発冷却式全外気空調システム。
【請求項５】
前記配管モジュールは、前記外気と前記第１の空気の移送通路である給気管と、前記第２の空気の移送通路である排気管を備え、
前記排出口は、第１の排出口と第２の排出口とを含み、
前記経路設定部は、
前記外気導入口と前記湿度制御部との間の給気管に設置されている第１のダンパ部であって、前記第１のダンパ部の開閉状態に応じて、空気を前記外気導入口から前記湿度制御部に移送できることを決定する第１のダンパ部と、
前記外気導入口と前記温度制御部との間の給気管上に設置される第２のダンパ部であって、前記第２のダンパ部の開閉状態に応じて、空気を前記外気導入口から前記温度制御部へ移送できると決定する第２のダンパ部と、
前記間接蒸発冷却部の入り口に位置する給気管に設置されている第３のダンパ部であって、前記第３のダンパ部の開閉状態に応じて、空気を前記間接蒸発冷却部に移送できると決定する第３のダンパ部と、
前記直接蒸発冷却部の入り口に位置する給気管に設置されている第４のダンパ部であって、前記第４のダンパ部の開閉状態に応じて、空気を前記直接蒸発冷却部に移送できると決定する第４のダンパ部と、
前記第２のダンパ部と前記第４のダンパ部との間の給気管に設置される第５のダンパ部であって、前記第５のダンパ部の開閉状態に応じて、空気を前記第２のダンパ部から前記第４のダンパ部へ移送できると決定する第５のダンパ部と、
前記第５のダンパ部と前記空調スペースとの間の給気管に設置される第６のダンパ部であって、前記第６のダンパ部の開閉状態に応じて、空気を前記第５のダンパ部から前記空調スペースへ移送できると決定する第６のダンパ部と、
前記空調スペースと前記第１の排出口との間の排気管に設置される第７のダンパ部であって、前記第７のダンパ部の開閉状態に応じて、空気を給気スペースから前記第１の排出口へ移送できると決定する第７のダンパ部とを備える、請求項４に記載の除湿および蒸発冷却式全外気空調システム。
【請求項６】
前記制御部は前記経路設定部を制御して、前記第１の温度が前記第３の温度より低い場合、前記外気は前記間接蒸発冷却部のみを通過し、
前記制御部は、前記経路設定部を制御して、前記第１のダンパ部を閉じ、前記第２のダンパ部を開き、前記第３のダンパ部を開き、前記第４のダンパ部を閉じ、前記第５のダンパ部を閉じ、前記第６のダンパ部を開き、前記第７のダンパ部を開く、請求項５に記載の除湿および蒸発冷却式全外気空調システム。
【請求項７】
前記制御部は前記経路設定部を制御し、前記第１の温度が前記第３の温度を上回り、前記第１のエンタルピーが前記第３のエンタルピーより小さい場合、前記外気は前記直接蒸発冷却部のみ通過し、
前記制御部は前記経路設定部を制御して、前記第１のダンパ部を閉じ、前記第２のダンパ部を開き、前記第３のダンパ部を閉じ、前記第４のダンパ部を開き、前記第５のダンパ部を開き、前記第６のダンパ部を閉じ、前記第７のダンパ部を閉じる、請求項５に記載の除湿および蒸発冷却式全外気空調システム。
【請求項８】
前記制御部は前記経路設定部を制御して、前記第１の温度が前記第３の温度より高く、前記第１のエンタルピーは前記第３のエンタルピーより大きく、前記第１の湿度が前記第２の湿度より低い場合、前記外気は前記間接蒸発冷却部および前記直接蒸発冷却部のみ通過し、
前記制御部は、前記経路設定部を制御して、前記第１のダンパ部を閉じ、前記第２のダンパ部を開き、前記第３のダンパ部を開き、前記第４のダンパ部を開き、前記第５のダンパ部を閉じ、前記第６のダンパ部を閉じ、前記第７のダンパ部を開く、請求項５に記載の除湿および蒸発冷却式全外気空調システム。
【請求項９】
前記制御部は前記経路設定部を制御して、前記第１の温度が前記第３の温度を上回り、前記第１のエンタルピーが前記第３のエンタルピーより大きく、前記第１の湿度が前記第２の湿度より高い場合、前記外気は前記湿度制御部、前記間接蒸発冷却部、および前記直接蒸発冷却部を通過し、
前記制御部は、前記経路設定部を制御して前記第１のダンパ部を開き、前記第２のダンパ部を閉じ、前記第３のダンパ部を開き、前記第４のダンパ部を開き、前記第５のダンパ部を閉じ、前記第６のダンパ部を閉じ、前記第７のダンパ部を開く、請求項５に記載の除湿および蒸発冷却式全外気空調システム。
【請求項１０】
前記第２の情報は、乾湿計チャート（１気圧）の飽和曲線上の点に対応し、前記第１の情報は、前記乾湿計チャート（１気圧）上の点に対応し、
前記湿度制御部は前記第１の湿度を１−２の湿度に変更し、
前記間接蒸発冷却部は前記第１の温度を１−２の温度に変更し、前記直接蒸発冷却部は前記１−２の湿度を前記第２の湿度に変更し、前記１−２の温度を前記第２の温度に変更する、請求項３に記載の除湿および蒸発冷却式全外気空調システム。
【請求項１１】
前記湿度制御部は前記乾湿計チャート（１気圧）上の点に対応する前記第１の情報をｙ軸方向（絶対湿度）に移動させ、前記間接蒸発冷却部は、前記乾湿計チャート（１気圧）上の点に対応する前記第１の情報をｘ軸方向（乾球温度）に移動させ、前記直接蒸発冷却部は、前記乾湿計チャート（１気圧）上の点に対応する前記第１の情報をｙ軸方向（絶対湿度）およびｘ軸方向（乾球温度）に移動させる、請求項１０に記載の除湿および蒸発冷却式全外気空調システム。
【請求項１２】
前記湿度制御部は、液式除湿部と、前記液式除湿部に用いられる除湿剤をリサイクルするために高温熱源を前記液式除湿部に提供する高温熱源供給部を備え、
低温熱源供給部は、リサイクルされた除湿剤の熱を伝達用空気に伝達しないように前記熱を交換し、
前記高温熱源供給部は、
太陽光集熱器と、
前記太陽光集熱器で熱交換された高温水を前記液式除湿部に循環させる循環部と、
前記循環部上に構成される、太陽熱集熱ユニットから収集された熱を蓄える蓄熱ユニットとを備え、
前記低温熱源供給部は冷却塔を含む水冷式フリークーリング装置を備える請求項２に記載の除湿および蒸発冷却式全外気空調システム。
【請求項１３】
前記湿度制御部は
第１の液式除湿部および第２の液式除湿部を備え、
前記第１の液式除湿部は前記第１の湿度を１−３の湿度にし、
前記第２の液式除湿部は前記１−３の湿度を１−４の湿度にし、
前記配管モジュールは、前記外気と、第１の空気の移送通路である空気供給ユニットと、第２の空気の移送通路である空気供給ユニットとを備え、
前記経路設定部は、
前記第１の液式除湿部と前記第２の液式除湿部との間の給気管に設置される第８のダンパ部であって、前記第８のダンパ部の開閉状態に応じて、空気が前記第１の液式除湿部から前記第２の液式除湿部に移送できると決定する第８のダンパ部を備え、
前記制御部は、前記１−３の湿度が前記１−４の湿度以下である場合、前記第８のダンパ部を閉じるように前記経路設定部を制御し、
前記制御部は、前記１−３の湿度が前記１−４の湿度より高い場合、前記第８のダンパ部を開くように前記経路設定部を制御する請求項１２に記載の除湿および蒸発冷却式全外気空調システム。
【請求項１４】
前記温度制御部は、
供給空気を顕熱冷却するように構成された間接蒸発冷却部と、
供給空気を冷却し加湿するように構成された直接蒸発冷却部であって、前記１−４の湿度を前記第２の湿度にするように構成された直接蒸発冷却部とを備える、請求項１３に記載の除湿および蒸発冷却式全外気空調システム。
【請求項１５】
前記制御部は、前記第１の湿度が前記１−４の湿度より小さい場合、前記経路設定部を制御して、前記配管モジュールに前記第１の液式除湿部と前記第２の液式除湿部とを迂回させる、請求項１３に記載の除湿および蒸発冷却式全外気空調システム。
【請求項１６】
除湿および蒸発冷却式全外気空調システムを制御する除湿および蒸発冷却式全外気空調システム制御方法であって、前記除湿および蒸発冷却式全外気空調システムは、
外気、第１の空気および第２の空気の移送通路を提供するように構成された配管モジュールと、
前記外気の湿度を制御するように構成された湿度制御部であって、前記配管モジュール上に配置される湿度制御部と、
供給空気を顕熱冷却するように構成された間接蒸発冷却部とおよび供給空気を冷却し加湿するように構成された直接蒸発冷却部で構成された温度制御部であって、前記第１の空気になるように、供給空気の温度、湿度およびエンタルピーを制御するように構成され、前記配管モジュール上に配置される温度制御部と、
前記外気と、前記第１の空気と前記第２の空気の移送経路を変更するように構成された経路設定部であって、前記配管モジュール上に配置される経路設定部と、
外気導入口から空調スペースへまたは前記空調スペースから排出口への空気の前記移送経路を決定し、前記外気の湿度、温度およびエンタルピーに関連した第１の情報に基づいて、前記決定された移送経路に空気を伝達するための経路設定部を制御する制御部とを備え、
前記除湿および蒸発冷却式全外気空調システムは、変更された第１の空気を前記空調スペースに提供するまたは前記空調スペースに滞留した第２の空気を前記空調スペースから前記排出口に排出するために、前記外気導入口から供給される外気の湿度、温度およびエンタルピーを変更し、
前記除湿および蒸発冷却式全外気空調システム制御方法は、
前記第１の情報と前記第１の空気の第２の湿度、第２の温度、および第２のエンタルピーに関する第２の情報とを比較し、第３の温度、第３の湿度および第３のエンタルピーに関連する第３の情報を算出する第１の段階と、
第１の温度と前記第３の温度とを比較する第２の段階と、
前記第２の段階の結果として前記第１の温度が前記第３の温度より高いと決定された場合、第１のエンタルピーと前記第３のエンタルピーを比較する第３の段階と、
前記第３の段階の結果として、前記第１のエンタルピーが前記第３のエンタルピーより大きい場合、第１の湿度と前記第２の湿度とを比較する第４の段階とを備える、除湿および蒸発冷却式全外気空調システム制御方法。
【請求項１７】
前記第２の段階の結果として、前記第１の温度が前記第３の温度より低いと決定された場合、前記外気は前記空調スペースに提供され、前記間接蒸発冷却部のみを通過する、請求項１６に記載の除湿および蒸発冷却式全外気空調システム制御方法。
【請求項１８】
前記第３の段階の結果として、前記第１のエンタルピーが前記第３のエンタルピーより小さい場合、前記外気は前記空調スペースに供給され、前記直接蒸発冷却部のみを通過する、請求項１６または１７に記載の除湿および蒸発冷却式全外気空調システム制御方法。
【請求項１９】
前記第４の段階の結果として、前記第１の湿度が前記第２の湿度より低い場合、前記外気は前記空調スペースに供給され、前記間接蒸発冷却部および前記直接蒸発冷却部のみを通過する、請求項１６から１８のいずれか一項に記載の除湿および蒸発冷却式全外気空調システム制御方法。
【請求項２０】
前記第４の段階の結果として、前記第１の湿度が前記第２の湿度より高い場合、前記外気は前記空調スペースに供給され、前記湿度制御部、前記間接蒸発冷却部および前記直接蒸発冷却部を通過する請求項１６から１９のいずれか一項に記載の除湿および蒸発冷却式全外気空調システム制御方法。
【発明の詳細な説明】
【技術分野】
【０００１】
本発明は、除湿および蒸発冷却式全外気空調システムおよびシステムの制御方法に関し、より詳細には、季節別の外気条件に応じた外気の除湿および冷却を調整し、事前設定された空気を空調空間に供給するための除湿および蒸発冷却式全外気空調システムならびに当該システムの制御方法に関する。
【背景技術】
【０００２】
２００７年１２月に国連（ＵＮ）気候変動会議の第１３回締約国会議（ＣＯＰ）で採択されたバリロードマップによれば、温室効果ガスの排出が９番目に大きい韓国は、温室効果ガスの全国規模の削減量を２００９年に設定しなければならず、実際に２０１３年から削減を開始した。したがって、ほとんどすべての産業分野で、人々はエネルギーを節約し、炭素排出を減らすための技術を開発し、実際に使用することに専念している。特に、韓国の総エネルギー消費量の３割以上を占める建築分野では、換気、冷房、暖房で消費されるエネルギーを大幅に削減することで、建築分野における温室効果ガス排出量を大幅に削減するための高効率で高性能なシステムを開発する努力が行われている。
【０００３】
そのような努力の一環として、最近、北米やヨーロッパのいくつかの先進国では、水の気化潜熱のみを用いて空調を行う無公害冷却システムの研究がさかんに行われている。これに伴い、最近では蒸発冷却による環境保全と省エネを両立させた環境にやさしい冷却システムが韓国において注目を集めている。
【０００４】
水の気化潜熱を用いる冷却システムは、外気が高温であるが夏または乾燥した気候では湿度が比較的低いヨーロッパでのみ用いることができるシステムとみなされている。
【０００５】
しかしながら、蒸発冷却のために吹き付ける水と給気側の空気とが直接接触しない間接蒸発冷却を用いる場合、韓国など夏に高温多湿な地域でも、経済的な冷却効果が得られないこととが開示されている（Ｍａｈｅｓｈｗａｒｉｅｔ他、２００１年；Ｇａｓｐａｒｅｌｌａ他、２００３年、Ｊｅｏｎｇ  Ｙｏｕｎｇｈｏ、２００８年）。したがって、蒸発冷却を用いた冷却システムが新たに関心を集めている。
【０００６】
また、除湿ローターなどを併用する場合（Ｚｈａｎｇ他、２００５年、Ｊａｎｇ  Ｙｏｕｎｇｓｏｏ他、２００４年）、冷却効果が改善し、エネルギー消費量の削減により、炭素排出量を低減することができる。また、既存の冷媒とは異なり環境を破壊する心配のない水を使用するという環境に優しいすぐれた特性があるため、将来的には蒸発潜熱を利用した冷却システムの研究開発がさらに奨励されるであろう。
【０００７】
しかしながら、上述したこれまでの研究に基づいて開発されてきた蒸発冷却システムの大多数において、供給空気の温度は夏には２３℃から２６℃の範囲内で決定される。したがって、供給空気の量が非常に多くなければ一般の建物において十分な冷却効果を期待することは困難である。この制限のために、蒸発冷却システムは、室内温度に近い中立温度で快適な室内空気品質を維持するのに必要な最小量の換気空気のみを供給する室外空気処理装置または室内顕熱負荷が大きくない場合に使用可能な小型エアコンとして開発されている。上記の欠点を克服するために、除湿ローターと組み合わせて蒸発冷却効果を改善する除湿蒸発冷却システムに関する研究が行われているが、システムの性能を実装可能かつ実用的にするためには広範囲の実証的研究が必要である。
【０００８】
その一方で、主に先進国において、室内空気質を改善するために、１００％の外気のみで室内環境を調整する１００％屋外空気システムに関する研究がさかんに行われている。これは、既存の空調システムが汚染された室内空気の７０％以上を省エネルギーのために内部に再循環させるときに引き起こされるシックビルディング症候群または相互汚染などの空気品質に関連する深刻な問題から生じている。すなわち、この技術が全ての汚染された室内空気を外部に出し、新鮮な外気のみで空調を行うことにより快適で健康的な室内空気品質を保証するため、１００％屋外空気システムへの期待が高まっている。しかしながら、蒸発冷却システムを用いるこれまで提案されてきた空調方法は、１００％屋外空気システム開発の国際的傾向から逸脱しており、今だに既存の空調システムと同様に屋内空気の再循環に基づいている。したがって、室内の空気環境において注目に値する改善が期待できないという基本的な問題がある。
【０００９】
これらの既存の問題を解決するための努力の一環として、本発明者は、韓国未審査特許出願第１０−２０１０−００２８８２０号（２０１０年３月３０日に出願）（特許出願公開第１０−２０１１−０１０９２０９号（２０１１年１０月６日））および韓国未審査特許出願第１０−２０１０−００２８８１４号（２０１０年３月３０日出願）（（特許出願公開第１０−２０１１−０１０９２０４号（２０１１年１０月６日））において、１００％屋外空気システムを使用する空調方法を提案した。
【００１０】
しかしながら、そのような空調システムの空調方法でさえ、高温多湿の環境（特に夏季）の外気で冷却すると、間接蒸発冷却器や直接蒸発冷却器の効率が著しく低下するので、エネルギーの節約が困難であるという点で問題がある。
【発明の概要】
【発明が解決しようとする課題】
【００１１】
上記の従来の問題を解決するために、本発明者によって以前に特許出願されている空調方法をさらに改善することにより本発明は提案されている。本発明の目的は、夏などの高温多湿の環境においてで外気が用いられる場合であっても、外気が供給される空気供給側の効率を向上させる構造を有することにより、間接蒸発冷却器及び直接蒸発冷却器の効率を著しく改善でき、それに応じて省エネルギー効果を最大化できる、除湿および蒸発冷却式全外気空調システムと、当該システムの制御方法とを提供することである。
【００１２】
本発明の目的は上述の目的に限定されず、言及されていない他の目的は以下の説明から当業者には明らかに理解されよう。
【課題を解決するための手段】
【００１３】
本発明の一実施形態による除湿および蒸発冷却式全外気空調システムは、変更された第１の空気を空調スペースに提供するまたは空調スペースに滞留した第２の空気を空調スペースから排出口に排出するために外気導入口から供給される外気の湿度、温度およびエンタルピーを変更する除湿および蒸発冷却式全外気空調システムを提供し、除湿および蒸発冷却式全外気空調システムは外気、第１の空気および第２の空気の移送通路を提供するように構成された配管モジュールと、外気の湿度を制御するように構成された湿度制御部であって、配管モジュール上に配置される湿度制御部と、第１の空気になるように、供給空気の温度、湿度およびエンタルピーを制御するように構成される温度制御部であって、配管モジュール上に配置される温度制御部と、外気、第１の空気および第２の空気の移送経路を変更するように構成された経路設定部であって、配管モジュール上に配置される経路設定部と、外気導入口から空調スペースへまたは空調スペースから排出口への空気の移送経路を決定し、外気の湿度、温度およびエンタルピーに関連する第１の情報に基づいて、決定された移送経路に空気を伝達するために経路設定部を制御する制御部とを備える。
【００１４】
本発明の一実施形態による除湿および蒸発冷却式全外気空調システムにおいて、第１の情報は外気の第１の湿度、第１の温度、および第１のエンタルピーに関する情報を含み、第３の情報は第３の温度、第３の湿度および第３のエンタルピーに関する情報を含み、制御部は第１の空気の第２の湿度、第２の温度および第２のエンタルピーに関する第２の情報と第１の情報を比較し、制御部は経路設定部を制御し、制御部は、経路設定部を制御するために第１の情報と第２の情報とを比較することにより第３の情報を算出し、算出された第３の情報に基づいて制御部は経路設定部を制御する。
【００１５】
本発明の一実施形態による除湿および蒸発冷却式全外気空調システムにおいて、温度制御部は、供給空気を顕熱冷却するように構成された間接蒸発冷却部と、供給空気を冷却および加湿するように構成された直接蒸発冷却部を備える。
【００１６】
本発明の一実施形態による除湿および蒸発冷却式全外気空調システムにおいて、制御部は、第１の温度が第２の温度を上回る場合、第３の温度を第２の温度と等しく設定し、第１の温度が第２の温度を上回る場合、第３の温度を第２の温度を上回るように設定し、制御部は、第３の温度および第３の湿度から算出された値で第３のエンタルピーを設定する。
【００１７】
本発明の一実施形態による除湿および蒸発冷却式全外気空調システムにおいて、配管モジュールは、外気と第１の空気の移送通路である給気管と、第２の空気の移送通路である排気管とを備え、排出口は、第１の排出口と第２の排出口とを含み、経路設定部は、外気導入口と湿度制御部との間の給気管上に設置され、第１ダンパ部の開閉状態に応じて、空気を外気導入口から湿度制御部に移送できることを決定する第１のダンパ部と、外気導入口と温度制御部との間の給気管上に設置され、第２のダンパ部の開閉状態に応じて、空気を外気導入口から温度制御部へ移送できると決定する第２のダンパ部と、間接蒸発冷却部の入り口に位置する給気管に設置され、第３のダンパ部の開閉状態に応じて、空気を間接蒸発冷却部に移送できると決定する第３のダンパ部と、直接蒸発冷却部の入り口に位置する給気管に設置され、第４のダンパ部の開閉状態に応じて、空気を直接蒸発冷却部に移送できると決定する第４のダンパ部と、第２のダンパ部と第４のダンパ部との間の給気管上に設置され、第５のダンパ部の開閉状態に応じて、空気を第２のダンパ部から第４のダンパ部へ移送できると決定する第５のダンパ部と、第５のダンパ部と空調スペースとの間の給気管上に設置され、第６のダンパ部の開閉状態に応じて、空気を第５のダンパ部から空調スペースへ移送できると決定する第６のダンパ部と、空調スペースと第１の排気口との間の排気管に設置され、第７のダンパ部の開閉状態に応じて、空気を給気スペースから第１の排出口へ移送できると決定する第７のダンパ部とを備える。
【００１８】
本発明の一実施形態による除湿および蒸発冷却式全外気空調システムにおいて、制御部は経路設定部を制御し、第１の温度が第３の温度未満の場合、外気は間接蒸発冷却部のみを通過し、制御部は第１のダンパ部を閉じ、第２のダンパ部を開き、第３のダンパ部を開き、第４のダンパ部を閉じ、第５のダンパ部を閉じ、第６のダンパ部を開き、第７のダンパ部を開く。
【００１９】
本発明の一実施形態による除湿および蒸発冷却式全外気空調システムにおいて、制御部は経路設定部を制御し、第１の温度が第３の温度を上回り、第１のエンタルピーが第３のエンタルピーより小さい場合、外気は直接蒸発冷却部のみを通過し、制御部は第１のダンパ部を閉じ、第２のダンパ部を開き、第３のダンパ部を閉じ、第４のダンパ部を開き、第５のダンパ部を開き、第６のダンパ部を閉じ、第７のダンパ部を閉じる。
【００２０】
本発明の一実施形態による除湿および蒸発冷却式全外気空調システムにおいて、制御部は経路設定部を制御し、第１の温度が第３の温度より高く、第１のエンタルピーは第３のエンタルピーより大きく、第１の湿度が第２の湿度より低い場合、外気は間接蒸発冷却部および直接蒸発冷却部のみ通過し、制御部は第１のダンパ部を閉じ、第２のダンパ部を開き、第３のダンパ部を開き、第４のダンパ部を開き、第５のダンパ部を閉じ、第６のダンパ部を閉じ、第７のダンパ部を開く。
【００２１】
本発明の一実施形態による除湿および蒸発冷却式全外気空調システムにおいて、制御部は経路設定部を制御し、第１の温度が第３の温度を上回り、第１のエンタルピーが第３のエンタルピーより大きく、第１の湿度が第２の湿度より高い場合、外気は、湿度制御部、間接蒸発冷却部、および直接蒸発冷却部を通過し、制御部は第１のダンパ部を開き、第２のダンパ部を閉じ、第３のダンパ部を開き、第４のダンパ部を開き、第５のダンパ部を閉じ、第６のダンパ部を閉じ、第７のダンパ部を開く。
【００２２】
本発明の一実施形態による除湿および蒸発冷却式全外気空調システムにおいて、第２の情報は、乾湿計チャートの飽和曲線上の点（１気圧）に対応し、第１の情報は、乾湿計チャート上の点（１気圧）に対応し、湿度制御部は第１の湿度を１−２の湿度に変更し、間接蒸発冷却部は第１の温度を１−２の温度に変更し、直接蒸発冷却部は１−２の湿度を第２の湿度に変更し１−２の温度を第２の温度に変更する。
【００２３】
本発明の一実施形態による除湿および蒸発冷却式全外気空調システムにおいて、湿度制御部は乾湿計チャート上の点（１気圧）に対応する第１の情報をｙ軸方向（絶対湿度）に移動させ、間接蒸発冷却部は乾湿計チャート上の点（１気圧）に対応する第１の情報をｘ軸方向（乾球温度）に移動させ、直接蒸発冷却部は乾湿計チャート上の点（１気圧）に対応する第１の情報をｙ軸方向（絶対湿度）およびｘ軸方向（乾球温度）に移動させる。
【００２４】
本発明の一実施形態による除湿および蒸発冷却式全外気空調システムにおいて、湿度制御部は液式除湿部と、液式除湿に用いられる除湿剤をリサイクルするために高温熱源を液式除湿部に提供する高温熱源供給部と、リサイクルされた除湿剤の熱を伝達用空気に伝達しないように熱を交換する低温熱源供給部を備え、高温熱源供給部は、太陽光集熱器と、太陽光集熱器で熱交換された高温水を液式除湿部に循環させる循環部と、循環部上に構成される、太陽光集熱部から収集された熱を蓄える蓄熱部とを備え、低温熱源供給部は冷却塔を含む水冷式フリークーリング装置を備える。
【００２５】
本発明の一実施形態による除湿および蒸発冷却式全外気空調システムにおいて、湿度制御部は、第１の液式除湿部および第２の液式除湿部を備え、第１の液式除湿部は第１の湿度を１−３の湿度にし、第２の液式除湿部は１−３の湿度を１−４の湿度にし、配管モジュールは、外気と、第１の空気の移送通路である空気供給ユニットと、第２の空気の移送通路である空気供給ユニットとを備え、経路設定部は第１の液式除湿部と第２の液式除湿部との間の給気管に設置され、第８のダンパの開閉状態に応じて、空気が第１の液式除湿部から第２の液式除湿部に移送できると決定する第８のダンパ部を備え、１−３の湿度が１−４の湿度以下である場合、制御部は第８のダンパ部を閉じるように経路設定部を制御し、１−３の湿度が１−４の湿度より高い場合、制御部は第８のダンパ部を開くように経路設定部を制御する。
【００２６】
本発明の一実施形態による除湿および蒸発冷却式全外気空調システムにおいて、温度制御部は、供給空気を顕熱冷却するように構成された間接蒸発冷却部と、供給空気を冷却し、加湿するように構成された直接蒸発冷却部であって、１−４の湿度を第２の湿度にするように構成される直接蒸発冷却部を備える。
【００２７】
本発明の一実施形態による除湿および蒸発冷却式全外気空調システムにおいて、第１の湿度が１−４の湿度以下の場合、制御部は、経路設定部を制御し、配管モジュールに第１の液式除湿部と第２の液式除湿部とを迂回させる。
【００２８】
本発明の一実施形態による除湿および蒸発冷却式全外気空調システムの製造方法において、除湿および蒸発冷却式全外気空調システム制御方法は除湿および蒸発冷却式全外気空調システムを制御し、除湿および蒸発冷却式全外気空調システムは、外気、第１の空気および第２の空気の移送通路を提供するように構成された配管モジュールと、配管モジュール上に配置される湿度制御部であって、外気の湿度を制御するように構成される湿度制御部と、供給空気を顕熱冷却するように構成された間接蒸発冷却部および供給空気を冷却し、加湿するように構成された直接蒸発冷却部で構成された温度制御部であって、第１の空気になるように、供給空気の温度、湿度およびエンタルピーを制御するように構成され、配管モジュール上に配置される温度制御部と、外気、第１の空気および第２の空気の移送経路を変更するように構成された経路設定部であって、配管モジュール上に配置される経路設定部と、外気導入口から空調スペースへまたは空調スペースから排出口への空気の移送経路を決定し、外気の湿度、温度およびエンタルピーに関連した第１の情報に基づいて、決定された移送経路に空気を伝達するために経路設定部を制御する制御部を備え、除湿および蒸発冷却式全外気空調システムは変更された第１の空気を空調スペースに提供するためまたは空調スペースに滞留した第２の空気を空調スペースから排出口に排出するために、外気導入口から供給される外気の湿度、温度およびエンタルピーを変更し、除湿および蒸発冷却式全外気空調システム制御方法は、第１の情報と、第１の空気の第２の湿度、第２の温度、および第２のエンタルピーに関する第２の情報を比較し、第３の温度、第３の湿度および第３のエンタルピーに関連する第３の情報を算出する第１の段階と、第１の温度と第３の温度とを比較する第２の段階と、第２の段階の結果として第１の温度が第３の温度より高いと決定された場合、第１のエンタルピーと第３のエンタルピーを比較する第３の段階と、第３の段階の結果として、第１のエンタルピーが第３のエンタルピーより大きい場合、第１の湿度と第２の湿度とを比較する第４の段階を備える。
【００２９】
本発明の一実施形態による除湿および蒸発冷却式全外気空調システムの製造方法において、第２の段階の結果として第１の温度が第３の温度より低い場合、外気は空調スペースに供給され、間接蒸発冷却部のみを通過する。
【００３０】
本発明の一実施形態による除湿および蒸発冷却式全外気空調システムの製造方法において、第３の段階の結果として第１のエンタルピーが第３のエンタルピーより小さい場合、外気は空調スペースに供給され直接蒸発冷却部のみを通過する。
【００３１】
本発明の一実施形態による除湿および蒸発冷却式全外気空調システムの製造方法において、第４の段階の結果として、第１の湿度が第２の湿度より低い場合、外気は空調スペースに供給され、間接蒸発冷却部および直接蒸発冷却部のみを通過する。
【００３２】
本発明の一実施形態による除湿および蒸発冷却式全外気空調システムの製造方法において、第４の段階の結果として第１の湿度が第２の湿度より高い場合、外気は空調スペースに供給され、湿度制御部、間接蒸発冷却部および直接蒸発冷却部を通過する。本発明の一実施形態による除湿および蒸発冷却式全外気空調システムの製造方法において、外気は空調スペースに供給され、第４の段階の結果として第１の湿度が第２の湿度より高い場合、湿度制御部、間接蒸発冷却部および直接蒸発冷却部のみを通過する。
【発明の効果】
【００３３】
本発明による除湿および蒸発冷却式全外気空調システムおよびその制御方法は、外気のみを用いる全外気空調システムの運転性能を改善することにより、高温多湿の環境、例えば、韓国の夏のモンスーンの季節でさえ冷却効果を著しく改善し、それに応じて、省エネルギー効果が最大化することができる。
【００３４】
また、本発明は、室内温度制御と湿度制御を別々に行う分離システムの概念を効果的に実行することにより、どのような運転条件の下でも常に快適な室内環境を提供することができる。
【００３５】
さらに、本発明によれば、１つの空調ユニットを用いたとしても、各空調空間の冷房、暖房、および換気の異なる要求に応じて供給空気の量および温度を別々に制御することを可能にする。したがって、本発明は、それぞれに様々な機能またはまったく異なるタイプの空間が共存している単一のビル群である大型の建物複合体が増加する傾向に非常に適している。
【００３６】
さらに、本発明は、システム運転に必要な熱源および電力が今後、地熱、太陽熱、太陽光、風力などの再生可能なエネルギーを介して供給される場合、実質的に炭素排出量ゼロを達成することを可能にする。
【図面の簡単な説明】
【００３７】
【図１】本発明の一実施形態による除湿および蒸発冷却式全外気空調システムの構造を示す概略図である。
【００３８】
【図２】本発明の一実施形態による除湿および蒸発冷却式全外気空調システムの空気の流れを示す概略図である。
【図３】本発明の一実施形態による除湿および蒸発冷却式全外気空調システムの空気の流れを示す概略図である。
【図４】本発明の一実施形態による除湿および蒸発冷却式全外気空調システムの空気の流れを示す概略図である。
【図５】本発明の一実施形態による除湿および蒸発冷却式全外気空調システムの空気の流れを示す概略図である。
【００３９】
【図６】本発明の一実施形態による除湿および蒸発冷却式全外気空調システムのそれぞれのモードを示す乾湿計チャートである。
【００４０】
【図７】本発明の一実施形態による除湿および蒸発冷却式全外気空調システムのそれぞれのモードを示す概略図である。
【図８】本発明の一実施形態による除湿および蒸発冷却式全外気空調システムのそれぞれのモードを示す概略図である。
【００４１】
【図９】本発明の他の実施形態による除湿および蒸発冷却式全外気空調システムの部分構造を示す図である。
【図１０】本発明の他の実施形態による除湿および蒸発冷却式全外気空調システムの部分構造を示す図である。
【図１１】本発明の他の実施形態による除湿および蒸発冷却式全外気空調システムの部分構造を示す図である。
【００４２】
【図１２】本発明の一実施形態による除湿および蒸発冷却式全外気空調システムを制御する方法を示すフローチャートである。
【発明を実施するための形態】
【００４３】
本発明の一実施形態による除湿および蒸発冷却式全外気空調システムにおいて、除湿および蒸発冷却式全外気空調システムは、変更された第１の空気を空調スペースに提供したり、空調スペースに滞留した第２の空気を空調スペースから排出口に排出したりするために、外気導入口から供給される外気の湿度、温度およびエンタルピーを変更し、除湿および蒸発冷却式全外気空調システムは、外気、第１の空気および第２の空気の移送通路を提供するように構成された配管モジュールと、外気の湿度を制御するように構成された湿度制御部であって、配管モジュール上に配置される湿度制御部と、第１の空気になるように、供給空気の温度、湿度およびエンタルピーを制御するように構成される温度制御部であって、配管モジュール上に配置される温度制御部と、外気、第１の空気および第２の空気の移送経路を変更するように構成された経路設定部であって、配管モジュール上に配置される経路設定部と、外気導入口から空調スペースへまたは空調スペースから排出口への空気の移送経路を決定し、外気の湿度、温度およびエンタルピーに関連する第１の情報に基づいて、決定された移送経路に空気を伝達するために経路設定部を制御する制御部とを備える。
【００４４】
以下、図面を参照して、本発明の複数の実施形態を詳細に説明する。しかしながら、本発明の精神は、本明細書に記載の実施形態に限定されない。当業者は、同じ精神の範囲内で他の要素を追加、修正または削除することによって、本発明の精神に含まれるその他の発明または他の実施形態を容易に提案することができるが、本発明の範囲はその発明または実施形態を包含する。
【００４５】
実施形態の各々の図面において、同一の趣旨の範囲内で同一の機能を有する要素には同一の参照符号が付される。
【００４６】
図１は、本発明の一実施形態による除湿および蒸発冷却式全外気空調システムの構造を示す概略図である。
【００４７】
図１を参照すると、本発明の除湿および蒸発冷却式全外気空調システム１（以下「空調システム」と称する）は、集合住宅やオフィスビルを含むあらゆる建物の空調システムに適用できる空調システムであり、空調システム１は、建物内で活動するユーザが滞在する空調スペースに、ユーザの活動に適した空気を供給する。
【００４８】
このため、本発明の空調システム１は、建物の外の空気の湿度、温度、およびエンタルピーなどを変更することができ、変更された第１の空気を空調スペースに供給したり、または、空調スペースに滞留する第２の空気を空調スペースから排出口へ排出することができる。
【００４９】
第１の空気は、空調スペースで活動を行うユーザの活動にとって適した空気であり、例えば、１気圧の下で、第１の空気は１５℃の乾球温度、０．０１０ｋｇ／ｋｇから０．０１５ｋｇ／ｋｇの絶対湿度、および乾球温度および絶対湿度に対応するエンタルピーを持つことができる。
【００５０】
第２の空気は、空調スペースでのユーザによる活動プロセスで変化した（汚染された）供給された第１の空気であり得る。
【００５１】
空調システム１は、配管モジュール、湿度制御部１０、温度制御部、経路設定部３０、および制御部を含む。
【００５２】
配管モジュールは、外気、第１の空気と第２の空気の移送通路を提供することができ、具体的には、配管モジュールは、外気と第１の空気の移送通路である給気管と、第２の空気の移送通路である排気管を有することができる。
【００５３】
給気管は、外気導入口Ｐから空調スペースへの外気の流路を形成することができ、排気管は空調スペースから排出口への流路を形成することができる。
【００５４】
外気導入口Ｐから空調スペースに空気を流す給気ファンＦ１を給気管上に配置することができ、空調スペースから排気口へ空気を流す排気ファンＦ２を排気管の上に配置することができる。外気または第２の空気を、給気ファンＦ１が動作するかまたは排気ファンＦ２が動作するかに応じて、給気管または排気管へ動かすことができる。
【００５５】
排気口は、第２の空気を外部に排出するための通路であり得、第１の排気口Ｅ１と第２の排気口Ｅ２を含むことができる。
【００５６】
湿度制御部１０は配管モジュールに配置され、外気の湿度を制御することができる。
【００５７】
湿度制御部１０は、液式除湿部と、高温熱源を液式除湿部分に供給して、液式除湿ユニットに用いられる除湿剤が再生されるようにする高温熱源供給部と、液式除湿部で再生された除湿剤の熱が移動する空気に伝達されないように熱交換を行う低温熱源供給部とを含むことができる。
【００５８】
高温熱源供給部は、液式除湿部内で湿度を吸収した除湿剤を再生するための熱交換用の温風または温水を供給する高温熱源供給部を含むことができる。
【００５９】
また高温熱源供給部は、太陽光集熱部と、太陽光集熱部の熱交換により加熱された温水を液式除湿部に循環させる循環部と、循環部に設けられ、太陽光集熱部により収集した熱を蓄える蓄熱部とを含むことができる。
【００６０】
湿度制御部１０は、液式除湿部で再生された除湿剤の熱が供給空気に伝達されないように熱を交換する低温熱源供給部を含むことができる。
【００６１】
また、低温熱源供給部は、冷却塔を含む水冷式フリークーリング装置として構成され得る。
【００６２】
温度制御部は、配管モジュールに配置され、供給空気の温度、湿度、およびエンタルピーを制御することにより第１の空気を生成することができる。
【００６３】
温度制御部に供給される空気は、外気導入口Ｐから流入する調湿外気であってもよい。すなわち、供給される空気は、湿度が湿度制御部１０によって制御されている空気であってもよい。
【００６４】
温度制御部は、供給される空気の顕熱を冷却するように構成される間接蒸発冷却部２２と、供給される空気を冷却し加湿するように構成される直接蒸発冷却部２４を含むことができる。
【００６５】
間接蒸発冷却部２２は、供給される空気が通過するドライチャンネルと、水が噴霧されるウェットチャンネルから構成され、間接蒸発冷却部２２を通過する供給空気の顕熱が冷却される。
【００６６】
直接蒸発冷却部２４は、供給される空気の設定条件、すなわち、第１の空気の状態が満たされるように、通過する供給される空気を冷却して加湿するように構成される。
【００６７】
直接蒸発冷却部２４は、供給される空気が通過するドライチャンネルと、水が噴霧されるウェットチャンネルとから構成される。
【００６８】
経路設定部３０は配管モジュールに配置され、外気、第１の空気、および第２の空気の移送経路を変更することができる。経路設定部３０は、配管モジュールの給気管または排気管の一部を開閉するダンパまたはバルブであってもよい。
【００６９】
経路設定部３０によって開閉される給気管または排気管が他の可動経路の管に沿って移動するため、空気の移送経路は経路設定部３０によって変更可能である。
【００７０】
具体的には、経路設定部３０は、外気導入口Ｐと湿度制御部１０との間の給気管に設置され、第１のダンパ部３１の開閉状態に応じて空気を外気導入口Ｐから湿度制御部１０に移動させることができるかを決定する第１のダンパ部３１と、外気導入口Ｐと温度制御部との間の給気管に設置され、第２のダンパ部３２の開閉状態に応じて、空気を外気導入口Ｐから温度制御部に移動させることができるかを決定する第２のダンパ部３２と、間接蒸発冷却部２２の入口側の給気管に設置され、第３のダンパ部３３の開閉状態に応じて、空気を間接蒸発冷却部２２に移動させることができるかを決定する第３のダンパ部３３と、直接蒸発冷却部２４の入口側の給気管に設置され、第４のダンパ部３４の開閉状態に応じて、空気を直接蒸発冷却部に移動させることができるかを決定する第４のダンパ部３４と、第２のダンパ部３２と第４のダンパ部３４との間の給気管に設置され、第５のダンパ部３５の開閉状態に応じて、空気を第２のダンパ部３２から第４のダンパ部３４へ移動させることができるかを決定する第５のダンパ部３５と、第５のダンパ部３５と空調スペースとの間の給気管に設置され、第６のダンパ部３６の開閉状態に応じて、空気を第５のダンパ部３５から空調スペースへ移動させることができるかを決定する第６のダンパ部３６と、空調スペースと第１の排気口Ｅ１との間の給気管に設置され、第７のダンパ部３７の開閉状態に応じて、空気を空調スペースから第１の排気口Ｅ１へ移動させることができるかを決定する第７のダンパ部３７とを備えることができる。
【００７１】
制御部は、外気の湿度、温度、およびエンタルピーに関する第１の情報に基づいて、外気導入口Ｐから空調スペース、または空調スペースから排出口への空気の移送経路を決定し、空気を決定された移送経路へ移動させるように経路設定部３０を制御することができる。
【００７２】
第１の情報は、外気の第１の湿度、第１の温度、および第１のエンタルピーに関する情報を含んでもよい。
【００７３】
制御部は、第１の空気の第２の湿度、第２の温度、および第２のエンタルピーに関する第２の情報を第１の情報と比較して、経路設定部３０を制御することができる。
【００７４】
また、制御部は第１の情報を第２の情報と比較して、経路設定部３０を制御するための第３の情報を算出して、算出された第３の情報に基づいて経路設定部３０を制御することができる。
【００７５】
第３の情報は、第３の温度、第３の湿度、および第３のエンタルピーに関する情報を含むことができる。
【００７６】
第１の温度が第２の温度を上回る場合、制御部は第３の温度を第２の温度と等しく設定して、第１の温度が第２の温度を上回る場合、第３の温度を第２の温度より高く設定することができる。
【００７７】
例えば、外気の第１の温度が２０℃であり、空調スペースに供給される空気用に設定された温度である第２の温度が１５℃である場合、制御部は第３の温度を１５℃に設定して、空調システム１を作動させることができ、外気の第１の温度が１０℃であり第２の温度が１５℃である場合、制御部は第３の温度を２０℃に設定して、空調システム１を作動させることができる。
【００７８】
第３のエンタルピーは、第３の温度および第３の湿度から算出される値に設定することができる。上記の例によると、第３の温度が１５℃に設定される場合、第３のエンタルピーは、乾球温度１５℃および相対湿度１から算出された値になり得、第３の温度が２０℃に設定される場合、第３のエンタルピーは乾球温度２０℃および相対湿度１から算出された値になり得る。
【００７９】
要約すると、図６から図８を参照して以下に説明する制御部の第１の温度は、外気の乾球温度であり得、第３の温度は、第１の温度と第２の温度との間の比較にしたがって設定された温度であり得、第１のエンタルピーは、外気の第１の温度（乾球温度）および第１の湿度（相対湿度）の値にしたがって算出されたエンタルピー値であり得、第３のエンタルピーは、第３の温度および相対湿度１から算出された値であり得る。
【００８０】
図２、図３、図４および図５は本発明の一実施形態による除湿および蒸発冷却式全外気空調システムにおける空気の流れを示す概略図である。
【００８１】
図２を参照して、第１の温度が第３の温度より低い場合（以下、第１のモードと称する）、制御部は、外気が間接蒸発冷却部２２のみを通過するよう経路設定部３０を制御してもよい。
【００８２】
具体的には、制御部は経路設定部３０を制御して、第１のダンパ部３１を閉じ、第２のダンパ部３２を開き、第３のダンパ部３３を開き、第４のダンパ部３４を閉じ、第５のダンパ部３５を閉じ、第６のダンパ部３６を開き、第７のダンパ部３７を開くことができる。
【００８３】
給気管が配置される形態および仕切空間での実施の利便性のために、第２のダンパ部３２は、２−１ダンパ部３２１および２−２ダンパ部３２２から構成されてもよいが、第２のダンパ部３２はその構成に限定されず、この理由のため、第２のダンパ部３２を構成しているダンパ部の数は増えても減ってもよい。
【００８４】
同じ理由により、第５のダンパ部３５は５−１ダンパ部、５−２ダンパ部、および５−３ダンパ部から構成されてもよい。
【００８５】
１つのダンパ部を構成する複数のダンパ部は、給気管が配置される形態および仕切空間での実施の利便性のための一例にすぎないため、ダンパ部はこの例に限定されない。
【００８６】
第１の温度が第３の温度より低いケースは、例えば、韓国の冬の外気の状態に対応し、この場合、空調システム１は冬用の運転モードで動作することができる。
【００８７】
具体的には、外気導入口Ｐから流入する外気が給気管を介して移動する場合、外気は、第２のダンパ部３２および第３のダンパ部３３を介して間接蒸発冷却部２２に供給される。このとき、外気は湿度制御部１０および直接蒸発冷却部２４を通過しなくてもよい。
【００８８】
また、間接蒸発冷却部２２に供給空気は、間接蒸発冷却部２２によって冷却されなくてもよい。すなわち、供給外気を冷却しないように、間接蒸発冷却部２２には水が供給されず、供給される空気および空調スペースから流入する第２の空気とが、互いに熱を交換するような空間を提供するために間接蒸発冷却部２２が使用されてよい。
【００８９】
簡潔に述べると、間接蒸発冷却部２２を使用して、供給される空気が第２の空気から熱を奪う空間を供給することができる。
【００９０】
また、空調スペースの第２の空気は開いた第７のダンパを介して間接蒸発冷却部２２に供給することができ、間接蒸発冷却部２２から外部へ、第１の排気口Ｅ１を介して排出される。この場合、排気ファンＦ２によって、第２の空気は空調スペースから間接蒸発冷却部２２に流れ得る。
【００９１】
間接蒸発冷却部２２の第２の空気と熱交換された空気は、給気ファンＦ１を介し第１の空気の状態で空調スペースに流入することができる。
【００９２】
図３を参照すると、第１の温度が第３の温度を上回り、第１のエンタルピーが第３のエンタルピーより小さい場合（以下、第２のモードと称する）、制御部は、外気が直接蒸発冷却部２４のみを通過するように経路設定部３０を制御することができる。
【００９３】
具体的には、制御部は経路設定部３０を制御して、第１のダンパ部３１を閉じ、第２のダンパ部３２を開き、第３のダンパ部３３を閉じ、第４のダンパ部３４を開き、第５のダンパ部３５を開き、第６のダンパ部３６を閉じ、第７のダンパ部３７を閉じることができる。
【００９４】
第１の温度が第３の温度を上回り、第１のエンタルピーが第３のエンタルピーより小さいケースは、例えば、韓国の中間期（春か秋）の外気条件に類似する空気状態に対応し得る。空調システム１は、春か秋の動作モードで動作してもよい。
【００９５】
外気導入口Ｐから流入する外気は、開いた第２のダンパ部３２、開いた第５のダンパ部３５、および開いた第４のダンパ部３４を介して直接蒸発冷却部２４に供給され得、外気が第１の空気の状態で空調スペースへ直接蒸発冷却部２４により提供され得る。
【００９６】
この場合、給気ファンＦ１によって、第１の空気は直接蒸発冷却部２４から空調スペースへ流れ得る。
【００９７】
第５のダンパ部３５が閉じているので、空調スペースに滞留する第２の空気は、第２の排気口Ｅ２を介して空調スペースから排出され得る。
【００９８】
図４を参照すると、第１の温度が第３の温度を上回り、第１のエンタルピーが第３のエンタルピーより大きく、第１の湿度が第２の湿度より低い場合（以下、第３のモードと称する）、制御部は、外気が間接蒸発冷却部２２および直接蒸発冷却部２４のみを通過するように経路設定部３０を制御することができる。
【００９９】
具体的には、制御部は経路設定部３０を制御して、第１のダンパ部３１を閉じ、第２のダンパ部３２を開き、第３のダンパ部３３を開き、第４のダンパ部３４を開き、第５のダンパ部３５を閉じ、第６のダンパ部３６を閉じ、第７のダンパ部３７を開くことができる。
【０１００】
第１の温度が第３の温度を上回り、第１のエンタルピーが第３のエンタルピーより大きく、第１の湿度が第２の湿度より低いケースは、例えば、韓国の中間期（春か秋）の外気条件に類似する空気状態に対応する。
【０１０１】
外気導入口Ｐから流入する外気は、開いた第２のダンパ部３２および開いた第３のダンパ部３３を介して間接蒸発冷却部２２に供給することができ、この場合、空調スペース内の第２の空気は、開いた第７のダンパ部３７を介して間接蒸発冷却部２２に供給することができる。
【０１０２】
また、第３のダンパ部３３を介して供給空気および第２の空気は、間接蒸発冷却部２２内で互いに、顕熱を交換することができ、同時に空気は間接蒸発冷却部２２により冷却されてもよい。
【０１０３】
間接蒸発冷却部２２により冷却された空気は、直接蒸発冷却部２４に、開いた第４のダンパ部３４を介して供給され、直接蒸発冷却部２４により冷却され、第１の空気の状態で空調スペースに流れてよい。
【０１０４】
図５を参照すると、第１の温度が第３の温度を上回り、第１のエンタルピーが第３のエンタルピーより大きく、第１の湿度が第２の湿度より高い場合（以下、第４のモードと称する）、制御部は、外気が湿度制御部１０、間接蒸発冷却部２２、および直接蒸発冷却部２４を通過するよう経路設定部３０を制御し得る。
【０１０５】
具体的には、制御部は経路設定部３０を制御し、第１のダンパ部３１を開き、第２のダンパ部３２を閉じ、第３のダンパ部３３を開き、第４のダンパ部３４を開き、第５のダンパ部３５を閉じ、第６のダンパ部３６を閉じ３６、第７のダンパ部３７を開くことができる。
【０１０６】
第１の温度が第３の温度を上回り、第１のエンタルピーが第３のエンタルピーより大きく、第１の湿度が第２の湿度より高いケースは、例えば、韓国の夏の高温多湿な外気条件に対応する。
【０１０７】
外気導入口Ｐから流入する外気は湿度制御部１０に、開いた第１のダンパ部３１を介して供給され得、湿度が湿度制御部１０を介して制御されている空気は間接蒸発冷却部２２に第３のダンパ部３３を介して供給されて、冷却され得る。
【０１０８】
空調スペース内の第２の空気は、開いた第７のダンパを介して間接蒸発冷却部２２に供給され得、第１の排気口Ｅ１を介して外部へ排出され得る。
【０１０９】
この場合、第３のダンパ部３３を介して供給空気および第２の空気は、間接蒸発冷却部２２において互いに、顕熱を交換することができ、同時に、間接蒸発冷却部２２によって空気を冷却することができる。
【０１１０】
間接蒸発冷却部２２によって冷却された空気は、開いた第４のダンパ部３４を介して直接蒸発冷却部２４に供給され得、直接蒸発冷却部２４により冷却され得、第１の空気の状態で空調スペースに流れることができる。
【０１１１】
図６は、本発明の一実施形態による除湿および蒸発冷却式全外気空調システムのそれぞれのモードを示す乾湿計チャートである。
【０１１２】
図６を参照すると、第２の情報に基づく第２の湿度および第２の温度を有する第１の空気の状態が、乾湿計チャート（１気圧）の飽和曲線上の点として示されており、第１の情報に基づく第１の湿度および第１の温度を有する外気の状態が乾湿計チャート（１気圧）の飽和曲線上の点として示されている。
【０１１３】
本発明の空調システム１は、外気の状態を示す点を第１の空気の状態を示す点に移動させて、第１の空気を空調スペースへ供給するための空気処理システムであり得る。
【０１１４】
湿度制御部１０は第１の湿度を１−２の湿度に変化させ、これは上記の液式除湿ユニット、高温熱源供給部、および低温熱源供給部によって実現することができる。
【０１１５】
湿度制御部１０は、乾湿計チャート（１気圧）上の点に対応する第１の情報をｙ軸方向（絶対湿度）へ移動させ、この場合、点が移動する経路は直線である、すなわち、第１の情報に対応する点は、ｙ軸方向に直線的に移動することができる。すなわち、湿度制御部１０は空気の乾球温度を変えなくてもよく、絶対湿度の変化にのみ関与することができる。
【０１１６】
１−２の湿度は第２の湿度より低くてもよい。これは、後述する直接蒸発冷却部２４の加湿による湿度制御を意図している。
【０１１７】
間接蒸発冷却部２２は、第１の温度を、１−２の温度に変化させることができ、１−２の温度は第１の温度と第２の温度との間の温度であってよい。これは、後述する直接蒸発冷却部２４の２次冷却による温度制御を意図している。
【０１１８】
間接蒸発冷却部２２は、乾湿計チャート（１気圧）上の点に対応する第１の情報をｘ軸方向（乾球温度）へ移動させ、この場合、点が移動する経路は直線であり得る、すなわち、第１の情報に対応する点はｘ軸方向にまっすぐ移動し得る。すなわち、間接蒸発冷却部２２は、空気の絶対湿度を変えなくてもよく、乾球温度の変更にのみ関与することができる。
【０１１９】
直接蒸発冷却部２４は、１−２の湿度を第２の湿度に、１−２の温度を第２の温度に変えることができる。
【０１２０】
直接蒸発冷却部２４は、乾湿計チャート上の点（１気圧）に対応する第１の情報を、ｙ軸方向（絶対湿度）およびｘ軸方向（乾球温度）に移動させることができ、この場合、点が移動する経路は曲線でも直線でもよい、すなわち、１−２の温度および１−２の湿度に対応する点はｘ軸方向（乾球温度）およびｙ軸方向（絶対湿度）に同時に動かすことができ、こうして、曲線運動または直線運動を引き起こすことができる。すなわち、直接蒸発冷却部２４は絶対湿度および乾球温度の変化に同時に関与することができる。
【０１２１】
図７および図８は本発明の一実施形態による除湿および蒸発冷却式全外気空調システムのそれぞれのモードを示す概略図である。
【０１２２】
図７の（ａ）は、外気の状態が第１のモードに対応するケースを示す。第１のモードでは、外気が間接蒸発冷却部２２のみを通過するよう空気の流路を設定できる。
【０１２３】
この場合、上記のように、間接蒸発冷却部２２を使用して、供給される空気が第２の空気から熱を奪う空間が供給され、第１のモードに対応する外気は、第１の情報に対応する乾湿計チャート上の点から第２の情報に対応する乾湿計チャート上の点に移動することができ、つまり空調スペースから流入する第２の空気との顕熱交換によって、状態（温度、湿度、およびエンタルピー）が変化し得る。
【０１２４】
図７の（ｂ）は外気の状態が第２のモードに対応するケースを示す。第２のモードでは、外気が直接蒸発冷却部２４のみを通過するように空気の流路を設定できる。
【０１２５】
上記のように、直接蒸発冷却部２４は乾湿計チャート（１気圧）上の点に対応する第１の情報をｙ軸方向（絶対湿度）およびｘ軸方向（乾球温度）に移動させることができるので、第２のモードにおける第１の情報に対応する乾湿計チャート上の点は、第２の情報に対応する乾湿計チャート上の点に移動することができる、すなわち、直接蒸発冷却部２４により状態（温度、湿度、およびエンタルピー）が変化し得る。
【０１２６】
図８の（ａ）は外気の状態が第３のモードに対応するケースを示す。第３のモードでは、外気は間接蒸発冷却部２２および直接蒸発冷却部２４のみを通過するよう空気の流路を設定することができる。
【０１２７】
上記のように、間接蒸発冷却部２２は乾湿計チャート（１気圧）上の点に対応する第１の情報をｘ軸方向（乾球温度）に移動させることができ、直接蒸発冷却部２４は乾湿計チャート（１気圧）上の点に対応する第１の情報をｙ軸方向（絶対湿度）およびｘ軸方向（乾球温度）に移動させることができるため、第３のモードにおける第１の情報に対応する乾湿計チャート上の点を第２の情報に対応する乾湿計チャート上の点に移動させることができ、すなわち、状態（温度、湿度、およびエンタルピー）が変わり得る。
【０１２８】
図８の（ｂ）は外気の状態が第４のモードに対応するケースを示す。第４のモードでは、外気が湿度制御部１０、間接蒸発冷却部２２、および直接蒸発冷却部２４を通過するよう空気の流路を設定できる。
【０１２９】
上記のように、湿度制御部１０は乾湿計チャート（１気圧）上の点に対応する第１の情報をｙ軸方向（絶対湿度）に移動させることができ、間接蒸発冷却部２２は乾湿計チャート（１気圧）上の点に対応する第１の情報をｘ軸方向（乾球温度）に移動させることができ、直接蒸発冷却部２４は乾湿計チャート（１気圧）上の点に対応する第１の情報をｙ軸方向（絶対湿度）およびｘ軸方向（乾球温度）に移動させることができるため、第４のモードにおける第１の情報に対応する乾湿計チャート上の点を第２の情報に対応する乾湿計チャート上の点に移動させることができ、すなわち、状態（温度、湿度およびエンタルピー）が変わり得る。
【０１３０】
図９、図１０、および図１１は本発明の他の実施形態による除湿および蒸発冷却式全外気空調システムの部分構造を示す図である。
【０１３１】
図９から図１１を参照すると、本発明の他の実施形態による空調システムは、湿度制御部１１０、制御部および経路設定部１３０以外は、図１から図８を参照して上述した空調システムと同じ構造および効果を有しているため、湿度制御部１１０、制御部および経路設定部１３０についてのみ説明する。
【０１３２】
湿度制御部１１０は、第１の液式除湿部１１２および第２の液式除湿部１１４を含み得る。
【０１３３】
第１の液式除湿部１１２は、第１の湿度が１−３の湿度となるよう除湿し、第２の液式除湿部１１４は、１−３の湿度が１−４の湿度となるよう除湿してもよい（図９参照）。
【０１３４】
１−３の湿度が１−４の湿度以下の場合、制御部は、空気が、第２の液体型除湿ユニット１１４の周りの迂回路を通って配管モジュールに供給されるよう経路設定部を制御できる。
【０１３５】
要するに、湿度制御部１１０が第１の湿度を１−４の湿度にするプロセスにおいて、空気が第１の液式除湿部１１２によって十分に除湿されない場合、再除湿のために空気が第２の液式除湿部１１４に供給されてもよく、このため、二槽液式除湿部が利用される。要するに、湿度制御部１１０が第１の湿度を１−４の湿度にするプロセスにおいて、空気が第１の液式除湿部１１２によって十分に除湿されない場合、再除湿のために空気が第２の液式除湿部１１４に供給されてもよく、このため、二槽液式除湿部が採用される。
【０１３６】
また、空気が第１の液式除湿部１１２により十分に除湿されたと決定された場合（１−３の湿度が１−４の湿度以下の場合）、第２の液式除湿部１１４の周りの迂回路を通って、第２の液式除湿部１１４の後方に配置された温度制御部に空気を供給してもよい。
【０１３７】
１−４の湿度は、第１の空気が空調スペースに提供されるよう湿度制御部１１０により制御されるべき湿度であり、１−４の湿度は第１の空気の第１の湿度と等しくてもよく、あるいは湿度制御部１１０の後方に配置された直接蒸発冷却部により空気が加湿されると考慮して、第１の空気の第１の湿度より低く設定してもよい。
【０１３８】
経路設定部は、さらに第１の液式除湿部１１２と第２の液式除湿部１１４との間の給気管に設置され、第８のダンパ部３８の開閉状態に応じて、空気を第１の液式除湿部１１２から第２の液式除湿部１１４に移動させることができるかを決定する第８のダンパ部３８を含んでもよい。
【０１３９】
１−３の湿度が１−４の湿度を上回る場合、制御部は経路設定部を制御して、第８のダンパ部３８を開くことができる。
【０１４０】
１−３の湿度が１−４の湿度以下の場合、制御部は経路設定部を制御して、第８のダンパ部３８を閉じることができる。
【０１４１】
第１の湿度が１−４の湿度以下の場合、外気が第１の液式除湿部１１２および第２の液式除湿部１１４の両方の周りを迂回するよう第１のダンパ部を閉じて、第２のダンパ部を開くことができる（図１１参照）。
【０１４２】
湿度制御部１１０を通過するまたはその周りを迂回する空気は、温度制御部により冷却されてもよく、このとき、温度制御部に供給される空気の１−４湿度は、直接蒸発冷却部により第２の湿度とな得る。
【０１４３】
図１２は、本発明の一実施形態による除湿および蒸発冷却式全外気空調システムを制御する方法を示すフローチャートである。
【０１４４】
図１２を参照すると、除湿および蒸発冷却式全外気空調システムを制御する方法が提供されており、除湿および蒸発冷却式全外気空調システムは、外気と、第１の空気および第２の空気の移送通路を提供する配管モジュールと、配管モジュールに配置され、外気の湿度を制御する湿度制御部と、配管モジュール上配置され、供給される空気の温度、湿度、およびエンタルピーを制御することにより第１の空気を生成し、供給される空気の顕熱を冷却するように構成された間接蒸発冷却部と、供給される空気を冷却し加湿ように構成される直接蒸発冷却部とを含む温度制御部と、配管モジュールに配置され、外気、第１の空気、および第２の空気の移送経路を変更する経路設定部と、外気の第１の湿度、第１の温度、および第１のエンタルピーに関する第１の情報に基づいて、外気吸入口から空調スペースへ、または空調スペースから排気口への空気の移送経路を決定し、空気を決定された移送経路に移動させるために経路設定部を制御する制御部とを備え、システムは、外気の湿度、温度、およびエンタルピーを変更し、変更された第１の空気を空調スペースに供給するか、空調スペースにおいて滞留する第２の空気を空調スペースから排気口へ排出し、本発明の一実施形態による方法は、第１の情報と第１の空気の第２の湿度、第２の温度、および第２のエンタルピーに関する第２の情報とを比較することにより第３の温度、第３の湿度、および第３のエンタルピーに関する情報を計算する第１のステップと、第１の温度と第３の温度とを比較する第２のステップと、第２のステップで第１の温度が第３の温度を上回ると決定された場合、第１のエンタルピーと第３のエンタルピーとを比較する第３のステップと、第３のステップにおいて、第１のエンタルピーが第３のエンタルピーより大きいと決定された場合、第１の湿度と第２の湿度とを比較する第４のステップとを備える。
【０１４５】
第２のステップにおいて、第１の温度が第３の温度より低いと決定された場合、間接蒸発冷却部２２のみを通って、外気は空調スペースに提供され得る（図１参照）。
【０１４６】
第３のステップにおいて、第１のエンタルピーが第３のエンタルピーより小さいと決定された場合、外気は直接蒸発冷却部２４のみを通って空調スペースに提供され得る（図１参照）。
【０１４７】
第４のステップにおいて、第１の湿度が第２の湿度より低いと決定された場合、外気は間接蒸発冷却部および直接蒸発冷却部のみを通って空調スペースに提供され得る。
【０１４８】
第４のステップにおいて、第１の湿度が第２の湿度より高いと決定された場合、外気は、湿度制御部、間接蒸発冷却部、および直接蒸発冷却部を介して空調スペースへ提供され得る。
【０１４９】
除湿および蒸発冷却式全外気空調システムと関連して除湿および蒸発冷却式全外気空調システムを制御する方法を詳述したので、方法の詳細な説明を省略する。
【０１５０】
以上本発明の実施形態にしたがって本発明の構成および特徴を説明したが、本発明はこれに限定されない。当業者は、本発明の精神および範囲内で様々な方法で実施形態を変更または修正できることをはっきりと理解するはずである。したがって、そのような変更または修正は下記の特許請求の範囲に属することに留意されたい。
【図１】
2020514653.tif 000003
【図２】
2020514653.tif 000004
【図３】
2020514653.tif 000005
【図４】
2020514653.tif 000006
【図５】
2020514653.tif 000007
【図６】
2020514653.tif 000008
【図７】
2020514653.tif 000009
【図８】
2020514653.tif 000010
【図９】
2020514653.tif 000011
【図１０】
2020514653.tif 000012
【図１１】
2020514653.tif 000013
【図１２】
2020514653.tif 000014
【国際調査報告】
2020514653.tif 000015
2020514653.tif 000016
2020514653.tif 000017
2020514653.tif 000018